(57)【要約】【課題】排気と給気との間で熱交換を行う換気システムを提供する。【解決手段】本発明に係る換気システムは、換気装置１３０，２３０と空気調和機１６０、２６０と切替ダンパ１２０、２２０と制御装置７０とを備える。制御装置７０は、切替ダンパ１２０、２２０によって空気流路の状態である第１状態と第２状態とを切り替える。空気流路の状態が第２状態であるとき、排気と給気との間で熱交換を行う。また、熱交換換気モードと非熱交換換気モードとの換気モード切り替え制御を行う。【選択図】図１
2010151411.tif 000002
【特許請求の範囲】
【請求項１】
第１室（１０）と、前記第１室とは別の第２室（２０）との換気を行う換気システムであって、
外気（ＯＡ）を取り入れ給気（ＳＡ）として前記第１室に送るとともに、前記第１室又は前記第２室から室内空気（ＩＡ）を取り込み排気（ＥＡ）として室外に排出し、且つ、前記給気になる前記外気と前記排気になる前記室内空気との間で熱交換を行わせる第１熱交換手段を有する、第１換気装置（１３０）と、
前記第１室の室内空気が前記第１換気装置に流れる第１状態と、前記第２室の室内空気が前記第１換気装置に流れる第２状態と、を切り替える第１切替手段と、
を備えた換気システム。
【請求項２】
外気を取り入れ給気として前記第２室に送るとともに、前記第２室又は前記第１室から室内空気を取り込み排気として室外に排出する、第２換気装置（２３０）
をさらに備え、
前記第１状態では、さらに前記第２室の室内空気が前記第２換気装置に流れ、
前記第２状態では、さらに前記第１室の室内空気が前記第２換気装置に流れる、
請求項１に記載の換気システム。
【請求項３】
第３室（３０）と、前記第３室とは別の第４室（４０）との換気を行う換気システムであって、
外気を取り入れ給気として前記第３室又は前記第４室に送るとともに、前記第３室から室内空気を取り込み排気として室外に排出し、且つ、前記給気になる前記外気と前記排気になる前記室内空気との間で熱交換を行わせる第３熱交換手段を有する、第３換気装置（３３０）と、
前記第３換気装置からの給気が前記第３室に流れる第３状態と、前記第３換気装置からの給気が前記第４室に流れる第４状態と、を切り替える第２切替手段と、
を備えた換気システム。
【請求項４】
外気を取り入れ給気として前記第４室又は前記第３室に送るとともに、前記第４室から室内空気を取り込み排気として室外に排出する、第４換気装置（４３０）
をさらに備え、
前記第３状態では、さらに前記第４換気装置からの給気が前記第４室に流れ、
前記第４状態では、さらに前記第３換気装置からの給気が前記第４室に流れる、
請求項３に記載の換気システム。
【請求項５】
前記第１換気装置は、前記外気と前記室内空気との間で熱交換を行わせる熱交換換気モードと、前記外気と前記室内空気との間で熱交換を行わせない非熱交換換気モードとの切り替えが可能であり、
前記第１換気装置における前記熱交換換気モードと前記非熱交換換気モードとの切り替えと、前記第１切替手段における前記第１状態と前記第２状態との切り替えとを制御する換気制御を行う制御手段（７０）
をさらに備える、
請求項２に記載の換気システム。
【請求項６】
前記第２換気装置は、前記給気になる前記外気と前記排気になる前記室内空気との間で熱交換を行わせる第２熱交換手段を有し、前記外気と前記室内空気との間で熱交換を行わせる熱交換換気モードと、前記外気と前記室内空気との間で熱交換を行わせない非熱交換換気モードとの切り替えが可能であり、
前記制御手段は、前記換気制御において、前記第２換気装置における前記熱交換換気モードと前記非熱交換換気モードとの切り替えをさらに制御する、
請求項５に記載の換気システム。
【請求項７】
前記第１室に対して第１空気調和機（１６０）が設置されており、前記第２室に対して第２空気調和機（２６０）が設置されており、
前記制御手段は、前記第１空気調和機における設定室内温度および運転モード、前記第２空気調和機における設定室内温度および運転モード、前記第１室の室内温度、前記第２室の室内温度、および外気温に基づいて、前記換気制御を行う、
請求項５又は６に記載の換気システム。
【請求項８】
前記制御手段は、
前記第１空気調和機における運転モードが暖房運転モードであり、前記第２空気調和機における運転モードが冷房運転モードであるときに、前記第１切替手段を前記第２状態とし、
さらに、前記第１室の室内温度と前記第１空気調和機における設定室内温度とが所定の第１関係になっているときに、前記第１換気装置を前記熱交換換気モードとする、
請求項７に記載の換気システム。
【発明の詳細な説明】
【技術分野】
【０００１】
本発明は、換気システムに関する。
【背景技術】
【０００２】
例えば、大型電算機等は、その稼動に伴い多量の熱を発生する。従来より、このような発熱機器類から発生する排熱を、有効利用するシステムが提案されている（特許文献１）。このシステムでは、発熱機器類から発生する排熱により加熱された空気を回収して有効利用する。
【特許文献１】特開２００４−１３８３３６号公報
【発明の開示】
【発明が解決しようとする課題】
【０００３】
従来の技術では、発熱機器類により加熱された空気を直接回収することで、排熱を有効利用している。しかし、従来の技術は、換気装置を備えていない。本発明の課題は、排熱利用と、居室の換気との両立が可能なシステムを提供することにある。
【課題を解決するための手段】
【０００４】
第１発明に係る換気システムは、第１室と、第１室とは別の第２室との換気を行う換気システムであって、第１換気装置及び第１切替手段を備える。第１換気装置は、第１熱交換手段を有する。第１換気装置は、外気を取り入れ、給気として第１室に送るとともに、第１室または第２室から室内空気を取り込み、排気として室外に排出する。第１熱交換手段は、給気になる外気と排気になる室内空気との間で熱交換を行わせる。第１切替手段は、第１室の室内空気が第１換気装置に流れる第１状態と、第２室の室内空気が第１換気装置に流れる第２状態とを切り替える。
【０００５】
この換気システムでは、第１切替手段が、第１室の室内空気が第１換気装置に流れる第１状態と、第２室の室内空気が第１換気装置に流れる第２状態とを切り替える。また、第１換気装置は、給気と排気との間で熱交換を行わせる、第１熱交換手段を有する。例えば、第１室が相対的に低温で暖房を必要とし、さらに第２室が相対的に高温の場合、第１切替手段が、空気流路を第２状態に切り替える。そして、給気としての外気と、排気としての第２室からの室内空気との間で熱交換を行い、排熱が供給された給気を第１室に供給する。このため、第２室の排熱の一部が第１室に供給され、第２室の排熱を有効利用することができると同時に、第１室の換気も行われる。
【０００６】
第２発明に係る換気システムは、第１発明に係る換気システムであって、第２換気装置をさらに備える。第２換気装置は、外気を取り入れ、給気として第２室に送るとともに、第２室または第１室から室内空気を取り込み、排気として室外に排出する。さらに第１状態では、第２室の室内空気が第２換気装置に流れ、第２状態では、第１室の室内空気が第２換気装置に流れる。
【０００７】
この換気システムは、第２換気装置をさらに備えている。第１切替手段によって、空気流路が第１状態に切り替えられると、第１室の室内空気が、第１換気装置に流れるとともに、さらに第２室の室内空気が第２換気装置に流れる。一方、第１切替手段によって、空気流路が第２状態に切り替えられると、第１室の室内空気が、第２換気装置に流れるとともに、さらに第１室の室内空気が第２換気装置に流れる。このため、各居室毎に換気を行うことができる。
【０００８】
第３発明に係る換気システムは、第３室と、第３室とは別の第４室との換気を行う換気システムであって、第３換気装置及び第２切替手段を備える。第３換気装置は、第３熱交換手段を有する。第３換気装置は、外気を取り入れ給気として第３室または第４室に送るとともに、第３室から室内空気を取り込み、排気として室外に排出する。第３熱交換手段は、給気になる外気と、排気になる室内空気との間で熱交換を行わせる。第２切替手段は、第３換気装置からの給気が第３室に流れる第３状態と、第３換気装置からの給気が第４室に流れる第４状態とを切り替える。
【０００９】
この換気システムでは、第２切替手段が、第３換気装置からの給気が第３室に流れる第３状態と、第３換気装置からの給気が第４室に流れる第４状態とを切り替える。また、第３換気装置は、給気と排気との間で熱交換を行わせる、第３熱交換手段を有する。例えば、第４室が相対的に低温で暖房を必要とし、さらに第３室が相対的に高温の場合、第２切替手段が、空気流路を第４状態に切り替える。そして、給気としての外気と、排気としての第３室からの室内空気との間で熱交換を行い、排熱が供給された給気を第４室に供給する。このため、第３室の排熱の一部が第４室に供給され、第３室の排熱を有効利用することができると同時に、第４室の換気も行われる。
【００１０】
第４発明に係る換気システムは、第３発明に係る換気システムであって、第４換気装置をさらに備える。第４換気装置は、外気を取り入れ、給気として第４室または第３室に送るとともに、第４室から室内空気を取り込み排気として室外に排出する。さらに第３状態では、第４換気装置からの給気が第４室に流れ、第４状態では、第３換気装置からの給気が第４室に流れる。
【００１１】
この換気システムは、第４換気装置をさらに備えている。第２切替手段によって、空気流路が第３状態に切り替えられると、第３換気装置からの給気が第３室に流れるとともに、さらに第４換気装置からの給気が第４室に流れる。一方、第２切替手段によって、空気流路が第４状態に切り替えられると、第３換気装置からの給気が第４室に流れるとともに、さらに第３換気装置からの給気が第４室に流れる。このため、各居室毎に換気を行うことができる。
【００１２】
第５発明に係る換気システムは、第２発明に係る換気システムであって、第１換気装置は、外気と室内空気との間で熱交換を行わせる熱交換換気モードと、外気と室内空気との間で熱交換を行わせない非熱交換換気モードとの切り替えが可能である。この換気システムは、換気制御を行う制御手段をさらに備えている。換気制御では、第１換気装置における熱交換換気モードと非熱交換換気モードとの切り替えの制御が行われる。また、換気制御では、第１切替手段における第１状態と第２状態との切り替えの制御が行われる。
【００１３】
この換気システムでは、第１換気装置における熱交換換気モードと非熱交換換気モードとの切り替えと、第１切替手段における第１状態と第２状態との切り替えが制御可能である。このため、例えば、第１室における室内温度と外気温とに応じた換気制御を行うことができる。
【００１４】
第６発明に係る換気システムは、第５発明に係る換気システムであって、第２換気装置は、第２熱交換手段を有する。第２熱交換手段は、給気となる外気と排気となる室内空気との間で熱交換を行わせる。また、第２熱交換手段は、外気と室内空気との間で熱交換を行わせる熱交換換気モードと、外気と室内空気との間で熱交換を行わせない非熱交換換気モードとの切り替えが可能である。制御手段は、換気制御において、第２換気装置における熱交換換気モードと非熱交換換気モードとの切り替えをさらに制御する。
【００１５】
この換気システムでは、制御手段が、第２換気装置における熱交換換気モードと非熱交換換気モードとの切り替えをさらに制御する。このため、例えば、第１室と第２室との室内温度、及び外気温とに応じた換気を、各居室毎に行うことができる。
【００１６】
第７発明に係る換気システムは、第５発明または第６発明に係る換気システムであって、第１室に対しては第１空気調和機が設置されており、第２室に対しては第２空気調和機が設置されている。制御手段は、第１空気調和機における設定室内温度及び運転モード、第２空気調和機における設定室内温度及び運転モード、第１室の室内温度、第２室の室内温度、及び外気温に基づいて、換気制御を行う。
【００１７】
この換気システムでは、制御手段が、第１空気調和機における設定室内温度及び運転モード、第２空気調和機における設定室内温度及び運転モード、第１室の室内温度、第２室の室内温度、及び外気温に基づいて、換気制御を行う。このため、例えば、第１室と第２室とのそれぞれの室内温度、外気温、及び、空気調和機の運転モードに応じた換気を行うことができる。
【００１８】
第８発明に係る換気システムは、第７発明に係る換気システムであって、第１空気調和機における運転モードが暖房運転モードであり、第２空気調和機における運転モードが冷房運転モードであるとき、制御手段は、第１切替手段を第２状態とする。さらに、第１室の室内温度と第１空気調和機における設定室内温度とが所定の第１関係になっているとき、制御装置は、第１換気装置を熱交換換気モードとする。
【００１９】
この換気システムでは、第１空気調和機における運転モードが暖房運転モードであり、第２空気調和機における運転モードが冷房運転モードであるとき、制御手段は、第１切替手段を第２状態とする。さらに、第１室の室内温度と第１空気調和機における設定室内温度とが所定の第１関係になっているとき、制御装置は、第１換気装置を熱交換換気モードとする。このため、例えば第１室が相対的に低温で暖房を必要とし、第２室が相対的に高温の場合に、第２室の排熱を有効利用することができ、また各居室毎に換気を行うことができる。
【発明の効果】
【００２０】
第１発明に係る換気システムでは、例えば、第１室が相対的に低温で暖房を必要とし、さらに第２室が相対的に高温の場合、第２室の排熱の一部が第１室に供給され、第２室の排熱を有効利用することができると同時に、第１室の換気も行われる。
【００２１】
第２発明に係る換気システムでは、各居室毎に換気を行うことができる。
【００２２】
第３発明に係る換気システムでは、例えば、第４室が相対的に低温で暖房を必要とし、さらに第３室が相対的に高温の場合、第３室の排熱の一部が第４室に供給され、第３室の排熱を有効利用することができると同時に、第４室の換気も行われる。
【００２３】
第４発明に係る換気システムでは、各居室毎に換気を行うことができる。
【００２４】
第５発明に係る換気システムでは、例えば、第１室における室内温度と外気温とに応じた換気制御を行うことができる。
【００２５】
第６発明に係る換気システムでは、第１室と第２室との室内温度、及び外気温とに応じた換気を、各居室毎に行うことができる。
【００２６】
第７発明に係る換気システムでは、第１室と第２室とのそれぞれの室内温度、外気温、及び、空気調和機の運転モードに応じた換気を行うことができる。
【００２７】
第８発明に係る換気システムでは、例えば、第１室が相対的に低温で暖房を必要とし、さらに第２室が相対的に高温の場合に、第２室の排熱を有効利用することができ、また各居室毎に換気を行うことができる。
【発明を実施するための最良の形態】
【００２８】
＜実施形態＞
ここでは、本実施形態に係る換気システムの動作について、図１から図９を用いて説明する。
【００２９】
〔換気システムの構成〕
図１及び図２に、本発明の実施形態に係る換気システムの概略構成を示す（後に詳述するが、図１は、後述の第２状態、図２は後述の第１状態における換気システムを示している）。この換気システムは、第１換気装置１３０、第１空気調和機１６０、第２換気装置２３０、第２空気調和機２６０、給排気経路、切替ダンパ１２０，２２０（第１切替手段）、及び制御装置７０を備える。第１室１０には、第１換気装置１３０、第１空気調和機１６０が設置されている。第２室２０には、第２換気装置２３０、第２空気調和機２６０が設置されている。給排気経路とは、室外側排気管１５１、２５１、室外側給気管１５２、２５２、室内側排気管１５３、２５３、室内側給気管１５４、２５４、及び切替ダンパ１２０，２２０を含めた配管の総称である。
【００３０】
本実施形態に係る換気システムでは、第１室１０に設置された第１空気調和機１６０が暖房運転モードで稼動し、第２室２０に設置された第２空気調和機２６０が冷房運転モードで稼動することがある。これは、第２室２０には、例えばサーバコンピュータ等の大型電算機に代表されるような、大きな発熱を伴って稼動する機器類が設置されているような状況を想定しているからである。このような状況の居室では、機器類からの発熱のため、冬季や中間期においても、空気調和機を冷房運転モードで稼動させる場合が一般的であり、本実施形態でもこのような状況を想定している。
【００３１】
以降、説明を簡略化するために、第１室１０と第２室２０とをまとめて単に居室１０、２０と表現することもある。
【００３２】
本実施形態では、第１換気装置１３０及び第２換気装置２３０はそれぞれ、第１室１０及び第２室２０の天井裏に設置される。第１換気装置１３０は、室外側排気管１５１、室外側給気管１５２を介して室外へと開口している。一方で、第１換気装置１３０は、室内側給気管１５４を介して第１室１０に開口している。また、第１換気装置１３０は、室内側排気管１５３を介して切替ダンパ１２０に配管接続されている。さらに、切替ダンパ１２０は、室内側排気管１５３を介して第１室１０及び第２室２０と配管接続されている。このため、第１換気装置１３０は、室内側排気管１５３及び切替ダンパ１２０を介して第１室１０及び第２室２０と配管接続されていることになる。同様に、第２換気装置２３０は、室外側排気管２５１、室外側給気管２５２を介して室外へと開口している。一方で、第２換気装置２３０は、室内側給気管２５４を介して第２室２０に開口している。また、第２換気装置２３０は、室内側排気管２５３を介して切替ダンパ２２０に配管接続されている。さらに、切替ダンパ２２０は、室内側排気管２５３を介して第１室１０及び第２室２０と配管接続されている。このため、第２換気装置２３０は、室内側排気管２５３及び切替ダンパ２２０を介して第１室１０及び第２室２０と配管接続されていることになる。以下、本実施形態に係る換気システムの主な構成要素について、図面を参照しながら説明する。
【００３３】
（１）換気装置（第１熱交換手段、第２熱交換手段）
本実施形態に係る換気システムでは、第１換気装置１３０及び第２換気装置２３０の２つの換気装置は構造等が同じである。このため、構造等について言及する際には、簡略化のため、換気装置１３０、２３０のように表現することもある。
【００３４】
図３に示されるように、本実施形態に係る換気システムにおいては、換気装置１３０、２３０がそれぞれ熱交換エレメント１３２、２３２を有しており、熱交換機能を持つ。換気装置１３０、２３０内には、それぞれ排気用ファン１３５、２３５及び給気用ファン１３６、２３６が設けられており、空気流を生成させる。本実施形態に係る換気装置１３０，２３０は熱交換換気モードと非熱交換換気モードとの切り替えが可能である。換気装置１３０、２３０内には、ダンパ１５５、２５５が設けられている。ダンパ１５５、２５５は、熱交換換気モードで稼動する場合の空気流路と、非熱交換換気モードで稼動する場合の空気流路とを切り替える。また、換気装置１３０、２３０内には、制御ユニット１３９、２３９がそれぞれ設けられている。この制御ユニット１３９、２３９は、制御装置７０に通信接続されており、換気装置１３０、２３０は、制御装置７０によって制御される。換気装置１３０、２３０は、それぞれ室外側排気管１５１、２５１、室外側給気管１５２、２５２を通じて、室外に開口している。また、室内側排気管１５３、２５３、室内側給気管１５４、２５４を通じて、第１室１０及び第２室２０に開口している。
【００３５】
（２）空気調和機
本実施形態に係る換気システムでは、第１空気調和機１６０及び第２空気調和機２６０の２つの空気調和機は構造等が同じである。このため、構造等について言及する際には、簡略化のため、空気調和機１６０、２６０のように表現することもある。
【００３６】
空気調和機１６０、２６０は、図１及び図２に示されるように、主に、室内ユニット１６１、２６１と室外ユニット１６４、２６４とそれらを配管接続する冷媒連絡配管１６８、２６８とから構成される。室内ユニット１６１、２６１は各居室１０、２０内に、例えば、壁に固定されて設置される。室外ユニット１６４，２６４は、室外に設置される。室内ユニット１６１、２６１と室外ユニット１６４，２６４とは、冷媒連絡配管１６８、２６８によって配管接続されている。冷媒連絡配管１６８、２６８は、液化した冷媒が流れる液側冷媒連絡配管と、気化した冷媒が流れるガス側冷媒連絡配管とにそれぞれが分かれている。
【００３７】
室内ユニット１６１、２６１内には、室内制御ユニット１６２、２６２、室内温度センサ１６３、２６３、室内ファン、室内熱交換器等が設けられている。
【００３８】
また、室外ユニット１６４、２６４内には、室外制御ユニット１６５、２６５、外気温センサ１６６、２６６、室外ファン、室外熱交換器、四路切換弁等が設けられている。
【００３９】
室内制御ユニット１６２，２６２は、室内温度センサ１６３、２６３、室内ファン等に通信接続されている。また、室内ユニット１６１、２６１は、室内制御ユニット１６２，２６２を介して、制御装置７０に通信接続されている。後述の制御装置７０は、この通信接続を介して、室内ファンの回転数、運転モードの切り替え、設定室内温度Ｔｓの変更等を行う。また、この通信接続を介して、室内ユニット１６１、２６１内の各種データ（例えば、空気調和機１６０、２６０の運転モードや設定室内温度Ｔｓ１、Ｔｓ２等）が制御装置７０に供給される。
【００４０】
室外制御ユニット１６５、２６５は、外気温センサ１６６、２６６、四路切換弁等に通信接続されている。また、室外ユニット１６４、２６４は、室外制御ユニット１６５、２６５を介して、制御装置７０に通信接続されている。後述の制御装置７０は、この通信接続を介して、四路切換弁の切り替えをはじめとする室外ユニット１６４、２６４の制御を行う。また、この通信接続を介して、外気温等の各種データが制御装置７０に供給される。
【００４１】
（３）切替ダンパ（第１切替手段）
図４及び図５は、本実施形態に係る切替ダンパ１２０、２２０の構造を示す（図４は後述の第２状態における切替ダンパ１２０、２２０の状態を示し、図５は、後述の第１状態における切替ダンパ１２０，２２０の状態を示す）。本実施形態に係る切替ダンパ１２０、２２０は、２つの吸込口（第１吸込口１２１、２２１、第２吸込口１２２、２２２）、１つの吹出口１２３、２２３、第１吸込口１２１、２２１と第２吸込口１２２、２２２とを切り替えるダンパ部材１２４、２２４、ダンパ部材１２４、２２４を駆動するダンパモータ１２５、２２５、及び制御基板（図示せず）を備える。本実施形態に係る換気システムでは、図１及び図２に示されるように、２つの切替ダンパ１２０、２２０を備えている。切替ダンパ１２０は、第１換気装置１３０に配管接続され、切替ダンパ２２０は、第２換気装置２３０に配管接続されている。切替ダンパ１２０の第１吸込口１２１、第２吸込口１２２は、室内側排気管１５３を介して第１室１０、第２室２０に配管接続される。切替ダンパ１２０の吹出口１２３は、室内側排気管１５３を介して、第１換気装置１３０の室内側吸込口１４５に配管接続されている。同様に、切替ダンパ２２０の第１吸込口２２１、第２吸込口２２２は、室内側排気管２５３を介して第２室２０、第１室１０に配管接続される。切替ダンパ２２０の吹出口２２３は、室内側排気管２５３を介して、第２換気装置２３０の室内側吸込口２４５に配管接続されている。ダンパモータ１２５、２２５は制御基板と通信接続されている。ダンパモータ１２５、２２５は動力伝達機構（図示せず）によってダンパ部材１２４、２２４と接続されている。そして、ダンパモータ１２５、２２５の駆動力がダンパ部材１２４，２２４に伝達する。ダンパ部材１２４、２２４によって、第１吸込口１２１、２２１、第２吸込口１２２、２２２のどちらか一方、例えば、第１吸込口１２１、２２１が閉鎖されると、もう一方の第２吸込口１２２、２２２が開放される。逆も同様である。制御基板は制御装置７０と通信接続されている。ダンパモータ１２５、２２５、さらにはダンパ部材１２４、２２４の動作は、制御基板を介して、制御装置７０によって制御される。ダンパ部材１２４、２２４が、第１吸込口１２１、２２１、第２吸込口１２２、２２２のどちらを閉鎖するかにより、本実施形態に係る換気システムは、２つの空気流路の状態を持つ。第２吸込口１２２、２２２が閉鎖されて、第１吸込口１２１、２２１が開放された状態を第１状態といい、第１吸込口１２１、２２１が閉鎖されて、第２吸込口１２２、２２２が開放された状態を第２状態という。制御装置７０により、第１状態と第２状態との切り替え動作が行われる。
【００４２】
図２及び図５は、それぞれ、本実施形態に係る換気システムの第１状態におけるシステム構成図及び、本実施形態に係る切替ダンパ１２０、２２０の第１状態における側断面図である。
【００４３】
図１及び図４は、それぞれ、本実施形態に係る換気システムの第２状態におけるシステム構成図及び、本実施形態に係る切替ダンパ１２０、２２０の第２状態における側断面図である。
【００４４】
（４）制御装置（制御手段）
本実施形態に係る制御装置７０は、第１室１０及び第２室２０の外部に設置されている。図６は、制御装置７０の構成図である。制御装置７０は、図６に示すように、主に、中央処理部７１、ＲＡＭ７４，ＲＯＭ７５，Ｉ／Ｏ制御部７６から構成される。ここで、中央処理部７１、ＲＡＭ７４，ＲＯＭ７５、Ｉ／Ｏ制御部７６は、例えば、マイクロコンピュータであって、相互に通信接続されており、１つの集積回路を構成している。
【００４５】
中央処理部７１は、主に、制御部７２及び演算部７３から構成されている。制御部７２は、図７に示されるように、ＲＯＭ７５に記憶されている制御プログラムを読み込み、読み込んだ制御プログラムに従って演算部７３、ＲＡＭ７４，及びＩ／Ｏ制御部７６に動作を指示する。
【００４６】
演算部７３は、図７に示されるように、制御部７２の命令に従って、制御部７２、ＲＡＭ７４，及びＲＯＭ７５から必要なデータを取得して演算処理（算術演算処理や論理演算処理等）を行う。また、この演算部７３は、制御部７２の命令に従って、演算処理の処理結果データを制御部７２に供給することができる。また、この演算部７３は、制御部７２の命令に従って、演算処理の処理結果データをＲＡＭ７４に書き込むことができる。
【００４７】
ＲＡＭ７４は、図７に示されるように、制御部７２の指示に従って、各種データを制御部７２に供給することができる。また、このＲＡＭ７４は、データをＩ／Ｏ制御部７６から取得して一時記憶したり、演算部７３から送信されるデータを一時記憶したりする。また、このＲＡＭ７４は、制御部７２の命令に応じて一時記憶しているデータをＩ／Ｏ制御部７６に送信する。
【００４８】
ＲＯＭ７５は、制御プログラムや各種データを格納しており、図７に示されるように、それらを制御部７２に供給する。また、このＲＯＭ７５は、制御部７２の指示に従って、各種データを演算部７３に供給することができる。なお、この制御プログラムにはタイマープログラムが含まれているため、中央処理部７１は一定の時間間隔で制御プログラムを実行することができる（本実施形態では、２分間隔で制御プログラムが実行される）。
【００４９】
Ｉ／Ｏ制御部７６は、室内制御ユニット１６２、２６２、室外制御ユニット１６５、２６５、換気装置１３０、２３０の制御ユニット１３９、２３９から、送信されてくる各種データをＲＡＭ７４に入力したり、ＲＡＭ７４に記憶されている各種データ等を、室内ユニット１６１、２６１、室外ユニット１６４、２６４、切替ダンパ１２０、２２０、あるいは換気装置１３０、２３０に出力したりする。また、Ｉ／Ｏ制御部７６は、換気装置１３０，２３０の制御ユニット１３９、２３９、室内制御ユニット１６２、２６２、室外制御ユニット１６５，２６５、切替ダンパ１２０、２２０から送信されてくる温度情報等の各種データ（アナログデータ）を受信し、それらのデータを中央処理部７１が処理可能な形式（デジタルデータ）に変換する。
【００５０】
また、制御装置７０には、操作者が制御装置７０を操作するための入力部７７が通信接続されている。入力部７７は、操作者が、空気調和機１６０、２６０の設定室内温度Ｔｓ１、Ｔｓ２の設定や運転モードの切り替え、換気装置１３０、２３０の換気モードの切り替え等の操作を行うための専用の入力装置または端末である。また、入力部７７には、空気調和機１６０、２６０や換気装置１３０、２３０の運転状況等が表示される。本実施形態では、入力部７７は、制御装置７０内の制御部７２、ＲＡＭ７４、及びＩ／Ｏ制御部７６等とさらに通信接続されている。
【００５１】
〔換気システムの動作〕
次に、本実施形態に係る換気システムの動作について、図１から図９を用いて説明する。
【００５２】
（１）換気装置の動作
本実施形態に係る換気装置１３０、２３０は、熱交換エレメント１３２、２３２を有し、外気ＯＡと室内空気ＩＡとの間で熱交換を行わせる熱交換換気モードと、外気ＯＡと室内空気ＩＡとの間で熱交換を行わせない非熱交換換気モードとの２つの換気モードを持つ。制御ユニット１３９、２３９は、制御装置７０からの制御信号を受信し、その制御信号に基づいて、換気装置１３０，２３０の換気モードの切り替えを行ったり、換気装置１３０、２３０の風量の制御を行ったりする。また、制御ユニット１３９、２３９は、換気装置１３０、２３０の換気モードや、風量に関する情報を制御装置７０に送信したりする。以下、この２つの換気モードについて、図３を参照しながら説明する。
【００５３】
（１−１）熱交換換気モードでの動作
本実施形態に係る換気装置１３０、２３０では、熱交換換気が行われる場合、ダンパ１５５、２５５によって、開口１４０、２４０が開放される。そして、開口１４３、２４３は閉鎖される。この状態で排気用ファン１３５，２３５、給気用ファン１３６、２３６が運転されると、室内側排気ＲＡが室内側排気管１５３、２５３を介して室内側吸込口１４５、２４５から換気装置１３０、２３０内に吸い込まれる。吸い込まれた室内側排気ＲＡは、熱交換エレメント１３２、２３２を通過して、室外側給気（外気ＯＡ）との間で熱交換後、室外側吹出口１４６、２４６から吹き出される。そして、室外側排気管１５１、２５１を介して、室外側排気ＥＡとして室外に排出される。一方、室外側給気（外気ＯＡ）が、室外側給気管１５２、２５２を介して、室外側吸込口１４８、２４８から換気装置１３０、２３０内に吸い込まれる。吸い込まれた室外側給気（外気ＯＡ）は、熱交換エレメント１３２、２３２を通過して、室外側排気ＥＡとの間で熱交換後、室内側吹出口１４７、２４７から吹き出される。そして、室内側給気管１５４、２５４を介して、室内に屋内側給気ＳＡが供給される。
【００５４】
（１−２）非熱交換換気モードでの動作
本実施形態に係る換気装置１３０、２３０では、非熱交換換気が行われる場合、ダンパ１５５、２５５によって、開口１４３、２４３が開放される。そして、開口１４０、２４０は閉鎖される。この状態で排気用ファン１３５，２３５、給気用ファン１３６、２３６が運転されると、室内側排気ＲＡが室内側排気管１５３、２５３を介して、室内側吸込口１４５、２４５から換気装置１３０、２３０内に吸い込まれる。吸い込まれた室内側排気ＲＡは、非熱交換換気モードの場合、熱交換エレメント１３２、２３２を通過せずに室外側吹出口１４６、２４６から吹き出される。そして、室外側排気管１５１、２５１を介して、室外側排気ＥＡとして室外に排出される。一方、室外側給気（外気ＯＡ）が室外側給気管１５２、２５２を介して、室外側吸込口１４８、２４８から換気装置１３０、２３０内に吸い込まれる。吸い込まれた室外側給気（外気ＯＡ）は、熱交換エレメント１３２、２３２を通過して室内側吹出口１４７、２４７から吹き出される。そして、室内側給気管１５４、２５４を介して、室内に室内側給気ＳＡが供給される（給気の流れは熱交換換気モード時と同じである）。
【００５５】
（２）空気調和機の動作
空気調和機１６０、２６０が稼動すると、室内ファンが回転し、室外ユニット１６４、２６４内の冷媒が、冷媒連絡配管１６８、２６８を通って室内ユニット１６１、２６１内に流れ込む。室内ユニット１６１、２６１内の冷媒は、室内熱交換器を通過する際に、室内空気ＩＡとの熱交換によって蒸発または凝縮され、室内空気ＩＡを冷却または加熱する。なお、冷房運転モードと暖房運転モードとの切り替えは、四路切換弁によって冷媒の流れる方向が切り替えられることによって実現される。
【００５６】
（３）切替ダンパの制御
切替ダンパ１２０、２２０は、制御装置７０により制御される。ここでは、制御装置７０による、切替ダンパ１２０、２２０の制御について、図４及び図５を参照しながら説明する。本実施形態に係る換気システムでは、切替ダンパ１２０、２２０が、制御基板を介して、制御装置７０と通信接続されている。切替ダンパ１２０、２２０の制御基板は、ダンパモータ１２５、２２５近傍に設けられている。制御装置７０から、切替ダンパ１２０、２２０に向けて、切替ダンパ１２０、２２０を制御するための制御信号が送信されて、その制御信号を切替ダンパ１２０、２２０の制御基板が受信する。すると、切替ダンパ１２０、２２０の制御基板は、制御装置７０からの制御信号に基づいて、ダンパモータ１２５，２２５を駆動制御する。つまり、ダンパ部材１２４、２２４によって、第１吸込口１２１、２２１、第２吸込口１２２、２２２のうち一方が閉鎖され、他方が開放される。その結果、第１状態と第２状態との切り替え制御が行われる。図４は、第２状態における切替ダンパ１２０、２２０の状態を示す。第２状態では、第１吸込口１２１、２２１が閉鎖され、第２吸込口１２２、２２２が開放される。この状態における空気流路は、矢印のようになる。一方、図５は、第１状態における切替ダンパ１２０、２２０の状態を示す。第１状態では、第２吸込口１２２、２２２が閉鎖され、第１吸込口１２１、２２１が開放される。この状態における空気流路は、矢印のようになる。このようにして、ダンパ部材１２４、２２４が、第１吸込口１２１、２２１、第２吸込口１２２、２２２のうちのどちらか一方を閉鎖し、他方を開放することで、切替ダンパ１２０、２２０の切り替え制御が実行される。
【００５７】
（４）制御装置の動作
ここでは、図８及び図９に示されるフローチャートに従って、制御装置７０による換気制御の流れについて説明する。
【００５８】
（４−１）制御装置による換気制御の処理の流れ
図８に、制御装置７０による換気制御の処理の流れのフローチャートを示す。ステップＳＴ１では、Ｉ／Ｏ制御部７６が、制御部７２の指示に従って、第１空気調和機１６０の室内制御ユニット１６２から第１空気調和機１６０の設定室内温度Ｔｓ１、第１空気調和機１６０の運転モードＭｏＡ１、及び第１室１０の室内温度Ｔｒ１を取得し、ＲＡＭ７４に書き込む。同様に、Ｉ／Ｏ制御部７６が、制御部７２の指示に従って、第２空気調和機２６０の室内制御ユニット２６２から第２空気調和機２６０の設定室内温度Ｔｓ２、第２空気調和機２６０の運転モードＭｏＡ２、及び第２室２０の室内温度Ｔｒ２を取得し、ＲＡＭ７４に書き込む。また、Ｉ／Ｏ制御部７６が、制御部７２の指示に従って、空気調和機１６０、２６０の室外制御ユニット１６５、２６５から外気温Ｔｏを取得し、ＲＡＭ７４に書き込む。
【００５９】
ステップＳＴ２では、演算部７３が、制御部７２の指示に従って、ステップＳＴ１で取得した第１空気調和機１６０の運転モードＭｏＡ１が暖房運転モードで且つ第２空気調和機２６０の運転モードＭｏＡ２が冷房運転モード、または送風モード、または停止かどうかを判定する。第１空気調和機１６０の運転モードＭｏＡ１が暖房運転モードで且つ第２空気調和機２６０の運転モードＭｏＡ２が冷房運転モード、または送風モード、または停止という条件を満たす場合はステップＳＴ４に移動し、条件を満たさない場合はステップＳＴ３に移動する。
【００６０】
ステップＳＴ３では、制御部７２が、切替ダンパ１２０、２２０を第１状態に切り替える制御情報を生成し、その制御情報をＩ／Ｏ制御部７６に送信する。Ｉ／Ｏ制御部７６は、制御部７２から受信した切替ダンパ１２０、２２０の制御情報を、切替ダンパ１２０、２２０を稼動させる制御信号とともに切替ダンパ１２０、２２０に対して送信する。その後、後述のＰ１以降の処理に移動する。
【００６１】
ステップＳＴ４では、制御部７２が、切替ダンパ１２０、２２０を第２状態に切り替える制御情報を生成し、その制御情報をＩ／Ｏ制御部７６に送信する。Ｉ／Ｏ制御部７６は、制御部７２から受信した切替ダンパ１２０、２２０の制御情報を、切替ダンパ１２０、２２０を稼動させる制御信号とともに切替ダンパ１２０、２２０に送信する。また、制御部７２は、第２換気装置２３０の換気モードＭｏＢ２を非熱交換換気モードに設定する制御情報を生成し、その制御情報をＩ／Ｏ制御部７６に送信する。第２換気装置２３０の換気モードＭｏＢ２の制御情報を制御部７２から受信したＩ／Ｏ制御部７６は、受信した第２換気装置２３０の換気モードＭｏＢ２の制御情報を、第２換気装置２３０を稼動させる制御信号とともに第２換気装置２３０に送信する。さらに、制御部７２は、第２換気装置２３０の風量を大にする制御情報を生成し、その制御情報をＩ／Ｏ制御部７６に送信する。第２換気装置２３０の風量を大にする制御情報を制御部７２から受信したＩ／Ｏ制御部７６は、第２換気装置２３０の風量を大にする制御情報を、第２換気装置２３０を稼動させる制御信号とともに第２換気装置２３０に送信する。その後、ステップＳＴ５に移動する。
【００６２】
ステップＳＴ５では、ステップＳＴ１で取得した第１室１０の室内温度Ｔｒ１と、第１空気調和機１６０の設定室内温度Ｔｓ１よりもα℃高い温度（ＭｏＴｓ１とする）とを比較する。比較の結果、第１室１０の室内温度Ｔｒ１が、ＭｏＴｓ１よりも低い場合、つまり、次の関係式１を満たす場合は、ステップＳＴ６に移動する。関係式１を満たさない場合は、ステップＳＴ７に移動する。
【００６３】
[関係式１]  Ｔｒ１  ＜  ＭｏＴｓ１
【００６４】
ステップＳＴ６では、制御部７２が、第１換気装置１３０の換気モードＭｏＢ１を熱交換換気モードに設定する制御情報を生成し、その制御情報をＩ／Ｏ制御部７６に送信する。第１換気装置１３０の換気モードＭｏＢ１の制御情報を制御部７２から受信したＩ／Ｏ制御部７６は、受信した第１換気装置１３０の換気モードＭｏＢ１の制御情報を、第１換気装置１３０を稼動させる制御信号とともに第１換気装置１３０に送信する。その後ステップＳＴ８に移動する。
【００６５】
ステップＳＴ７では、制御部７２が、第１換気装置１３０の換気モードＭｏＢ１を非熱交換換気モードに設定する制御情報を生成し、その制御情報をＩ／Ｏ制御部７６に送信する。第１換気装置１３０の換気モードＭｏＢ１の制御情報を制御部７２から受信したＩ／Ｏ制御部７６は、受信した第１換気装置１３０の換気モードＭｏＢ１の制御情報を、第１換気装置１３０を稼動させる制御信号とともに第１換気装置１３０に送信する。その後ステップＳＴ８に移動する。
【００６６】
ステップＳＴ８では、制御部７２が、第１換気装置１３０の風量を大にする制御情報を生成し、その制御信号をＩ／Ｏ制御部７６に送信する。第１換気装置１３０の風量を大にする制御情報を制御部７２から受信したＩ／Ｏ制御部７６は、受信した第１換気装置１３０の風量を大にする制御情報を、第１換気装置１３０を稼動させる制御信号とともに第１換気装置１３０に送信する。送信の後、終了する。
【００６７】
（４−２）Ｐ１以降の処理の流れ
図９にＰ１以降の処理のフローチャートを示す。Ｐ１以降の処理では、制御装置７０が、第１室１０、第２室２０のそれぞれの居室毎に換気制御を行う。第１室１０においては、第１空気調和機１６０の設定室内温度Ｔｓ１，運転モードＭｏＡ１、及び外気温Ｔｏに基づいて換気制御を行う。また第２室２０においては、第２空気調和機２６０の設定室内温度Ｔｓ２、運転モードＭｏＡ２、及び外気温Ｔｏに基づいて、換気制御を行う。ここでは、第１室１０について説明する。第２室２０についてもまったく同様であるため、第２室２０についての説明は省略する。
【００６８】
ステップＳＴ１０１では、ステップＳＴ１で取得した、第１空気調和機１６０の運転モードＭｏＡ１を判定する。第１空気調和機１６０の運転モードＭｏＡ１が暖房運転モード、送風モードまたは停止であった場合は、ステップＳＴ１０２に移動する。第１空気調和機１６０の運転モードＭｏＡ１が冷房運転モードであった場合は、ステップＳＴ１０３に移動する。
【００６９】
ステップＳＴ１０２では、空気調和装置１６０の運転モードＭｏＡ１が暖房運転モードであるかどうかを判定する。空気調和装置１６０の運転モードＭｏＡ１が暖房運転モードであった場合は、ステップＳＴ１０４に移動する。空気調和装置１６０の運転モードＭｏＡ１が暖房運転モードでなかった場合は、ステップＳＴ１０５に移動する。
【００７０】
ステップＳＴ１０３では、ステップＳＴ１で取得した、第１空気調和機１６０の設定室内温度Ｔｓ１、外気温Ｔｏが次の関係式２を満たすかどうかを判定する。
【００７１】
[関係式２]  Ｔｓ１  ＞  Ｔｏ
関係式２を満たす場合は、ステップＳＴ１０６に移動する。関係式２を満たさない場合は、ステップＳＴ１０７に移動する。
【００７２】
ステップＳＴ１０４では、ステップＳＴ１で取得した、第１空気調和機１６０の設定室内温度Ｔｓ１，外気温Ｔｏが次の関係式３を満たすかどうかを判定する。
【００７３】
[関係式３]  Ｔｏ  ＞  Ｔｓ１
関係式３を満たす場合は、ステップＳＴ１０６に移動する。関係式３を満たさない場合は、ステップＳＴ１０７に移動する。
【００７４】
ステップＳＴ１０５では、ステップＳＴ１で取得した、第１空気調和機１６０の設定室内温度Ｔｓ１と第１室１０の室内温度Ｔｒ１との差が次の関係式４を満たすかどうかを判定する。ここで、β℃は既定値である。
【００７５】
[関係式４]   ｜Ｔｒ１  ―  Ｔｓ１｜  ＜  β
関係式４を満たす場合は、ステップＳＴ１０７に移動する。関係式４を満たさない場合は、ステップＳＴ１０６に移動する。
【００７６】
ステップＳＴ１０６では、制御部７２が、第１換気装置１３０の換気モードＭｏＢ１を非熱交換換気モードに設定する制御情報を生成し、その制御情報をＩ／Ｏ制御部７６に送信する。その後、ステップＳＴ１０８に移動する。
【００７７】
ステップＳＴ１０７では、制御部７２が、第１換気装置１３０の換気モードＭｏＢ１を熱交換換気モードに設定する制御情報を生成し、その制御情報をＩ／Ｏ制御部７６に送信する。その後、ステップＳＴ１０８に移動する。
【００７８】
ステップＳＴ１０８では、ステップＳＴ１０６、ステップＳＴ１０７で設定した第１換気装置１３０の換気モードＭｏＢ１の制御情報を制御部７２から受信したＩ／Ｏ制御部７６が、第１換気装置１３０の換気モードＭｏＢ１の制御情報を、第１換気装置１３０を稼動させる制御信号とともに第１換気装置１３０に送信する。送信の後、終了する。
【００７９】
〔換気システムの特徴〕
本実施形態に係る換気システムでは、第１室１０に第１換気装置１３０、第１空気調和機１６０が設置され、第２室２０に第２換気装置２３０、第２空気調和機２６０が設置されている。第２室２０には、例えばサーバコンピュータのような、大きな発熱を伴って稼動する機器類が設置されていることを想定している。このような状況では、冬季においても空気調和機を冷房運転モードで稼動させて居室内を冷却することが一般的である。また、第１室１０は相対的に低温で暖房が必要とされている状況を想定している。
【００８０】
（１）
本実施形態に係る換気システムでは、第１空気調和機１６０の運転モードＭｏＡ１が暖房運転モードであり、且つ、第２空気調和機２６０の運転モードＭｏＡ２が冷房運転モード、または送風モード、または停止であるとき、制御装置７０は、切替ダンパ１２０を切り替え制御し、第２状態とする。また、第２換気装置２３０を非熱交換換気モードで稼動させる。さらに、第１室１０の室内温度Ｔｒ１と、第１空気調和機１６０の設定室内温度Ｔｓ１よりもα℃高い温度とを比較し、前者が後者よりも低いという条件を満たす場合、制御装置７０は、第１換気装置１３０を熱交換換気モードで稼動させる。一方、上記の条件を満たさない場合、制御装置７０は、第１換気装置１３０を非熱交換換気モードで稼動させる。
【００８１】
切替ダンパ１２０が第２状態に切り替えられ、第１換気装置１３０が熱交換換気モードで稼動されると、第２室２０からの室内側排気ＲＡと、室外側給気（外気ＯＡ）との間で熱交換が行われる。室外側給気（外気ＯＡ）は、熱交換後、室内側給気ＳＡとして第１室１０に供給される。このため、第２室２０に設置されたサーバコンピュータ等の発熱機器類で発生した排熱の一部が、熱交換を通じて第１室１０に供給されて、第１室１０の暖房等に有効利用される。
【００８２】
（２）
また、本実施形態に係る換気システムでは、切替ダンパ１２０が第２状態に切り替えられ、第１換気装置１３０が熱交換換気モードで稼動された場合、第２室２０からの室内側排気ＲＡが第１室１０に供給されるのではなく、排熱のみが熱交換を通じて室外側給気（外気ＯＡ）に供給される。そして、第２室２０の排熱の一部を供給された室外側給気（外気ＯＡ）は、室内側給気ＳＡとなって第１室１０に供給される。このため、排熱の有効利用とともに、第１室１０の換気も行われることになる。つまり、排熱の有効利用と換気との両立が可能である。
【００８３】
〔変形例〕
以上、本発明の一実施形態について説明したが、本発明は本実施形態に限定されるものではなく、発明の要旨を逸脱しない範囲において、種々の変更が可能である。
【００８４】
（Ａ）
本実施形態に係る換気システムでは、制御装置７０は、第１室１０及び第２室２０の外部に設置されていることを想定しており、入力部７７は制御装置７０と独立して設けられていた。このような場合、入力部で入力された情報は、通信手段によって制御装置７０に送信される。
【００８５】
しかし入力部７７が、制御装置７０に組み込まれるような形で実装されていてもよい。例えば、制御装置７０を、専用の管理室に設置してもよく、制御装置７０と一体になった入力部７７を、操作者が管理室内で操作するようにしてもよい。
【００８６】
（Ｂ）
本実施形態に係る換気システムでは、第１空気調和機１６０の運転モードＭｏＡ１が暖房運転モードで、且つ第２空気調和機２６０の運転モードＭｏＡ２が冷房運転モード、または送風モード、または停止である場合に、制御装置７０が第１換気装置１３０、第２換気装置２３０及び切替ダンパ１２０，２２０を制御した。しかし、本発明に係る換気システムの換気制御の条件はこれに限定されない。例えば、制御装置７０は、第１空気調和機１６０の運転モードＭｏＡ１及び第２空気調和機２６０の運転モードＭｏＡ２に応じて換気制御を行うようにしてもよい。
【００８７】
（Ｃ）
本実施形態に係る換気装置１３０、２３０は、熱交換を伴う熱交換換気モードと、熱交換を伴わない非熱交換換気モードとの２つの換気モードを有している。しかし、第２室に設置された第２換気装置２３０は、このような２つの換気モードを有していなくてもよい。例えば、第２換気装置２３０は、室内と室外との間で、単に換気のみを行うような換気装置であってもよい。このような場合でも、第１換気装置１３０の熱交換機能により、第２室２０からの室内側排気ＲＡと、室外側給気（外気ＯＡ）との間で熱交換が行われる。第２室２０の排熱の有効利用と第１室１０の換気との両立が可能である。
【００８８】
（Ｄ）
本実施形態に係る換気装置１３０、２３０は、熱交換機能を有しているが、本実施形態において、この熱交換機能は、顕熱のみを熱交換するものであった。しかし、換気装置１３０、２３０は、顕熱のみでなく潜熱の交換も可能な、いわゆる全熱交換の機能を備えた換気装置であってもよい。ここで、顕熱とは、具体的には温度を意味し、潜熱とは具体的には湿度を意味する。
【００８９】
（Ｅ）
本実施形態に係る換気システムでは、第１室１０に第１換気装置１３０、第１空気調和機１６０が、第２室２０に第２換気装置２３０、第２空気調和機２６０がそれぞれ１台ずつ設置されている。しかし、第１室１０、第２室２０のそれぞれに、複数台の換気装置、切替ダンパ、及び空気調和機が設置されていてもよい。また、換気装置の台数と空気調和機の台数とは一致しなくてもよい。このような場合、制御装置７０に、これらの複数台の換気装置、切替ダンパ、及び空気調和機を一括して管理し、制御する機能を持たせる。こうすることで、本実施形態に係る換気システムと同様の換気制御を行うことができる。
【００９０】
（Ｆ）
制御装置７０が、第１室１０、第２室２０の室内温度Ｔｒ１、Ｔｒ２、第１空気調和機１６０、第２空気調和機２６０の設定室内温度Ｔｓ１、Ｔｓ２及び外気温Ｔｏに基づいて換気装置１３０、２３０の風量を制御するような機能を有していてもよい。
【００９１】
（Ｇ）
本実施形態に係る換気システムでは、第１室１０に設置される空気調和機１６０と、第２室２０に設置される空気調和機２６０とは同一の構造を持っていたが、これらの空気調和機１６０及び２６０は、それぞれ異なるタイプの空気調和機であってもよい。例えば空気調和機１６０が壁掛け型の空気調和機であり、空気調和機２６０が、天井埋設型の空気調和機であってもよい。
【００９２】
（Ｈ）
本実施形態に係る換気システムでは、第１換気装置１３０及び第２換気装置２３０を経由する給気経路が固定されており、第１換気装置１３０及び第２換気装置２３０を経由する排気経路が、切替ダンパ１２０、２２０によって切り替えられた。つまり、第１室１０からの室内側排気ＲＡが第１換気装置１３０を流れ、第２室２０からの室内側排気ＲＡが第２換気装置２３０を流れる第１状態と、第２室２０からの室内側排気ＲＡが第１換気装置１３０を流れ、第１室１０からの室内側排気ＲＡが第２換気装置２３０を流れる第２状態とが、切替ダンパ１２０、２２０によって切り替えられた。
【００９３】
しかし本発明はこの形態に限定される必要はなく、逆に、排気経路が固定され、給気経路が切替ダンパで切り替わるようにしてもよい。
【００９４】
図１０及び図１１に、本実施形態の変形例Ｈに係る換気システムのシステム構成図を示す。変形例Ｈにおいては、第３換気装置３３０及び第４換気装置４３０を経由する排気経路が固定されており、第３換気装置３３０及び第４換気装置４３０を経由する給気経路が、切替ダンパ３２０、４２０によって切り替えられる。つまり、第３換気装置３３０を経由した室内側給気ＳＡが第３室３０に供給され、第４換気装置４３０を経由した室内側給気ＳＡが第４室４０に供給される第４状態と、第３換気装置３３０を経由した室内側ＳＡ給気が第４室４０に供給され、第４換気装置４３０を経由した室内側給気ＳＡが第３室に供給される第３状態とが、切替ダンパ３２０、４２０によって切り替えられる。
【００９５】
この変形例Ｈに係る換気システムでは、換気制御において、給気側を切り替えるか、排気側を切り替えるかの点で、本実施形態と異なるが、その他の点においては、構成要素、動作等も含め、本実施形態に係る換気システムと同様である。このため、効果においても、本実施形態と同様の効果が得られる。従って、ここでは、本実施形態の変形例Ｈに係る換気システムの各構成要素の詳細な説明は省略した。
【００９６】
本実施形態の変形例Ｈに係る換気システムは、第３空気調和機３６０、第４空気調和機４６０、第３換気装置３３０、第４換気装置４３０、第２切替手段としての切替ダンパ３２０、４２０、制御装置７０を備える。第３換気装置３３０、第３空気調和機３６０は、第３室３０に設置され、第４換気装置４３０、第４空気調和機４６０は、第４室４０に設置される。本実施形態の変形例Ｈに係る換気システムでは、第４室４０に設置された第４空気調和機４６０が暖房運転モードで稼動し、第３室３０に設置された第３空気調和機３６０が冷房運転モードで稼動することがある。これは、第３室３０には、例えばサーバコンピュータ等の大型電算機に代表されるような、大きな発熱を伴って稼動する機器類が設置されているような状況を想定しているからである。このような状況の居室では、機器類からの発熱のため、冬季や中間期においても、空気調和機を冷房運転モードで稼動させる場合が一般的であり、本実施形態でもこのような状況を想定している。
【００９７】
（Ｈ−１）  換気装置
第３換気装置３３０及び第４換気装置４３０は、本実施形態に係る換気装置１３０、２３０と同様に、熱交換機能を持つ。また、第３換気装置３３０及び第４換気装置４３０は、熱交換換気モードと非熱交換換気モードとの切り替えが可能である。熱交換換気モードと非熱交換換気モードとの切り替え制御は、制御ユニット３３９、４３９を介して、制御装置７０によって行われる。
【００９８】
（Ｈ−２）  空気調和機
第３空気調和機３６０及び第４空気調和機４６０は、それぞれ、室内ユニット３６１、４６１、室内制御ユニット３６２、４６２、室内温度センサ３６３、４６３、室外ユニット３６４、４６４、室外制御ユニット３６５、４６５、外気温センサ３６６、４６６、冷媒連絡配管３６８、４６８を備える。
【００９９】
（Ｈ−３）  切替ダンパ（第２切替手段）
第２切替手段としての切替ダンパ３２０、４２０は、それぞれ、第１吹出口３２１、４２１、第２吹出口３２２、４２２、吸込口３２３、４２３、ダンパ部材３２４、４２４、ダンパモータ３２５、４２５、及び制御基板を備える。切替ダンパ３２０は、第３換気装置３３０に配管接続され、切替ダンパ４２０は、第４換気装置４３０に配管接続されている。切替ダンパ３２０の第１吹出口３２１、第２吹出口３２２は、室内側給気管３５４を介して、第３室３０、第４室４０に配管接続される。切替ダンパ３２０の吸込口３２３は、室内側給気管３５４を介して、第３換気装置３３０に配管接続されている。同様に、切替ダンパ４２０の第１吹出口４２１、第２吹出口４２２は、室内側給気管４５４を介して、第４室４０、第３室３０に配管接続される。切替ダンパ４２０の吸込口４２３は、室内側給気管４５４を介して、第４換気装置４３０に配管接続されている。ダンパモータ３２５、４２５は制御基板（図示せず）と通信接続されている。ダンパモータ３２５、４２５は動力伝達機構（図示せず）によってダンパ部材３２４、４２４と接続されている。そして、ダンパモータ３２５、４２５の駆動力がダンパ部材３２４，４２４に伝達する。ダンパ部材３２４、４２４によって、第１吹出口３２１、４２１、第２吹出口３２２、４２２のどちらか一方、例えば、第１吹出口３２１、４２１が閉鎖されると、もう一方の第２吹出口３２２、４２２が開放される。逆も同様である。制御基板は制御装置７０と通信接続されている。ダンパモータ３２５、４２５、さらにはダンパ部材３２４、４２４の動作は、制御基板を介して、制御装置７０によって制御される。ダンパ部材３２４、４２４が、第１吹出口３２１、４２１、第２吹出口３２２、４２２のどちらを閉鎖するかにより、本実施形態に係る換気システムは、２つの空気流路の状態を持つ。第２吹出口３２２、４２２が閉鎖されて、第１吹出口３２１、４２１が開放された状態を第４状態といい、第１吹出口３２１、４２１が閉鎖されて、第２吹出口３２２、４２２が開放された状態を第３状態という。制御装置７０により、第３状態と第４状態との切り替え動作が行われる。
【０１００】
図１１及び図１２は、それぞれ、本実施形態の変形例Ｈに係る換気システムの第４状態におけるシステム構成図及び、本実施形態の変形例Ｈに係る切替ダンパ３２０、４２０の第４状態における側断面図である。第４状態では、第３室３０、第４室４０がそれぞれ、第３換気装置３３０、第４換気装置４３０によって各居室毎に換気が行われる。
【０１０１】
図１０及び図１３は、それぞれ、本実施形態の変形例Ｈに係る換気システムの第３状態におけるシステム構成図及び、本実施形態の変形例Ｇに係る切替ダンパ３２０、４２０の第３状態における側断面図である。第３状態では、第３換気装置３３０において、第３室３０からの室内側排気ＲＡと室外側給気（外気ＯＡ）との間で熱交換が行われ、熱交換後の室外側給気（外気ＯＡ）が室内側給気ＳＡとなって第４室４０に供給される。
【０１０２】
（Ｈ−４）  制御装置（制御手段）
本実施形態の変形例Ｈに係る制御装置７０は、本実施形態に係る制御手段７０と、構造、機能ともに同じものである。
【０１０３】
〔本実施形態の変形例Ｈに係る換気システムの特徴〕
本実施形態の変形例Ｈに係る換気システムでは、第３室３０に第３換気装置３３０、第３空気調和機３６０が設置され、第４室４０に第４換気装置４３０、第４空気調和機４６０が設置されている。第３室３０には、例えばサーバコンピュータのような、大きな発熱を伴って稼動する機器類が設置されていることを想定している。また、第４室４０は相対的に低温で暖房が必要とされている状況を想定している。
【０１０４】
（１）
本実施形態の変形例Ｈに係る換気システムでは、第４空気調和機４６０の運転モードＭｏＡ４が暖房運転モードであり、且つ、第３空気調和機３６０の運転モードＭｏＡ３が冷房運転モード、または送風モード、または停止であるとき、制御装置７０は、切替ダンパ４２０を切り替え制御し、第３状態とする。また、第３換気装置３３０を非熱交換換気モードで稼動させる。さらに、第４室４０の室内温度Ｔｒ４と、第４空気調和機４６０の設定室内温度Ｔｓ４よりも一定温度高い温度とを比較し、前者が後者よりも低いという条件を満たす場合、制御装置７０は、第４換気装置４３０を熱交換換気モードで稼動させる。一方、上記の条件を満たさない場合、制御装置７０は、第４換気装置４３０を非熱交換換気モードで稼動させる。
【０１０５】
切替ダンパ３２０が第３状態に切り替えられ、第３換気装置３３０が熱交換換気モードで稼動されると、第３室３０からの室内側排気ＲＡと、室外側給気（外気ＯＡ）との間で熱交換が行われる。室外側給気（外気ＯＡ）は、熱交換後、室内側給気ＳＡとして第４室４０に供給される。このため、第３室３０に設置されたサーバコンピュータ等の発熱機器類で発生した排熱の一部が、熱交換を通じて第４室４０に供給されて、第４室４０の暖房等に有効利用される。
【０１０６】
（２）
また、本実施形態の変形例Ｈに係る換気システムでは、切替ダンパ４２０が第３状態に切り替えられ、第４換気装置４３０が熱交換換気モードで稼動された場合、第３室３０からの室内側排気ＲＡが第４室４０に供給されるのではなく、排熱のみが熱交換を通じて室外側給気（外気ＯＡ）に供給される。そして、第３室３０の排熱の一部を供給された室外側給気（外気ＯＡ）は、室内側給気ＳＡとなって第４室４０に供給される。このため、排熱の有効利用とともに、第４室４０の換気も行われることになる。つまり、排熱の有効利用と換気との両立が可能である。
【産業上の利用可能性】
【０１０７】
本発明に係る換気システムは、例えば、発熱機器類が設置された居室内の排熱の一部を、例えば、別の居室の暖房等に利用できる。また、排熱利用と換気との両立が可能である。このため、ビルや家屋の換気に有効であり、省エネルギー化にも貢献できる。
【図面の簡単な説明】
【０１０８】
【図１】実施形態に係る換気システムの第２状態におけるシステム構成図。
【図２】実施形態に係る換気システムの第１状態におけるシステム構成図。
【図３】実施形態に係る換気装置の側面図。
【図４】実施形態に係る切替ダンパの第２状態における側断面図。
【図５】実施形態に係る切替ダンパの第１状態における側断面図。
【図６】実施形態に係る制御装置のブロック図。
【図７】実施形態に係る制御装置のデータフロー図。
【図８】実施形態に係る制御装置のフローチャート。
【図９】実施形態に係る制御装置のフローチャート。
【図１０】実施形態の変形例Ｈに係る換気システムの第３状態におけるシステム構成図。
【図１１】実施形態の変形例Ｈに係る換気システムの第４状態におけるシステム構成図。
【図１２】実施形態の変形例Ｈに係る切替ダンパの第４状態における側断面図。
【図１３】実施形態の変形例Ｈに係る切替ダンパの第３状態における側断面図。
【符号の説明】
【０１０９】
１０  第１室
２０  第２室
３０  第３室
４０  第４室
７０  制御装置（制御手段）
１２０、２２０、３２０、４２０  切替ダンパ（第１切替手段、第２切替手段）
１３０  第１換気装置（第１熱交換手段）
１６０  第１空気調和機
２３０  第２換気装置（第２熱交換手段）
２６０  第２空気調和機
３３０  第３換気装置
４３０  第４換気装置
Ｔｏ  外気温
Ｔｒ１、Ｔｒ２  室内温度
Ｔｓ１，Ｔｓ２  設定室内温度
ＯＡ  室外側給気
ＥＡ  室外側排気
ＳＡ  室内側給気
ＲＡ  室内側排気
【図１】
2010151411.tif 000003
【図２】
2010151411.tif 000004
【図３】
2010151411.tif 000005
【図４】
2010151411.tif 000006
【図５】
2010151411.tif 000007
【図６】
2010151411.tif 000008
【図７】
2010151411.tif 000009
【図８】
2010151411.tif 000010
【図９】
2010151411.tif 000011
【図１０】
2010151411.tif 000012
【図１１】
2010151411.tif 000013
【図１２】
2010151411.tif 000014
【図１３】
2010151411.tif 000015